(57)【要約】【課題】室内空間の温度ムラの発生を抑えることが可能な床下暖冷房システムを提供する。【解決手段】建物Ｕの最下階の床下空間１４に、断熱材で被覆されていない蓄熱部２１を有する床下熱交換装置２と、断熱材３２で被覆された被覆蓄熱部３１を有する保温装置３と、を備え、建物Ｕの室内空間１５に、室内熱交換器４を備えるとともに、保温装置３と室内熱交換器４とは、循環ポンプ６３を有する循環管路６によって接続されて、循環管路６には、被覆蓄熱部３１に貯留された循環流体が循環することを特徴とする床下暖冷房システムＳである。【選択図】図１
2008275264.tif 000002
【特許請求の範囲】
【請求項１】
建物の最下階の床下空間に、断熱材で被覆されていない蓄熱部を有する床下熱交換装置と、断熱材で被覆された被覆蓄熱部を有する保温装置と、を備え、
前記建物の室内空間に、室内熱交換器を備えるとともに、
前記保温装置と前記室内熱交換器とは、循環ポンプを有する循環管路によって接続されて、
該循環管路には、前記被覆蓄熱部に貯留された循環流体が循環することを特徴とする床下暖冷房システム。
【請求項２】
前記床下空間は、床と底盤コンクリートと側壁コンクリートとによって囲まれて形成されるとともに、
該側壁コンクリートには断熱材が取り付けられることを特徴とする請求項１に記載の床下暖冷房システム。
【請求項３】
前記蓄熱部及び前記被覆蓄熱部にはヒートポンプが接続され、
該ヒートポンプによって熱媒を循環させることで蓄熱することを特徴とする請求項１又は請求項２に記載の床下暖冷房システム。
【請求項４】
請求項１乃至請求項３のいずれか一項に記載の床下暖冷房システムを備えることを特徴とするユニット建物。
【発明の詳細な説明】
【技術分野】
【０００１】
本発明は、建物の暖冷房システムとユニット建物に関する。
【背景技術】
【０００２】
近年、建物の床下空間に蓄熱槽を設置することで、建物全体を床下から暖める床下暖房システムが普及している。
【０００３】
このように、床下に蓄熱槽を設置することで、従来の床置き型の蓄熱暖房機のように、建物の間取りを制限してしまうという問題が生じることはない。
【０００４】
例えば、特許文献１の住宅設置用の蓄熱槽では、床下空間に複数の熱媒貯蓄タンクを連結した構成が開示されている。
【０００５】
このように蓄熱槽を構成することによって、蓄熱槽を屋外に設置する必要がなくなり、屋外の敷地を有効活用できるとともに、この蓄熱槽を断熱シートで覆うことで放熱量を調整し、床下空間の温度変化を調整することができる。    
【特許文献１】特開２００５−５５１３１号公報
【発明の開示】
【発明が解決しようとする課題】
【０００６】
ところで、上記した特許文献１の構成では、床下空間の温度変化を調節することで、間接的に、室内空間の温度変化を調節している。
【０００７】
しかしながら、室内空間の温度は、部屋の大きさや日射の当たり具合などによっても大きく影響を受けるため、床下空間の温度変化を調節しても、室内空間には温度ムラが生じるという問題があった。
【０００８】
そこで、本発明は、室内空間の温度ムラの発生を抑えることが可能な床下暖冷房システム及びユニット建物を提供することを目的としている。
【課題を解決するための手段】
【０００９】
前記目的を達成するために、本発明の床下暖冷房システムは、建物の最下階の床下空間に、断熱材で被覆されていない蓄熱部を有する床下熱交換装置と、断熱材で被覆された被覆蓄熱部を有する保温装置と、を備え、前記建物の室内空間に、室内熱交換器を備えるとともに、前記保温装置と前記室内熱交換器とは、循環ポンプを有する循環管路によって接続されて、該循環管路には、前記被覆蓄熱部に貯留された循環流体が循環することを特徴とする。
【００１０】
また、前記床下空間は、床と底盤コンクリートと側壁コンクリートとによって囲まれて形成されるとともに、該側壁コンクリートには断熱材が取り付けられることが好ましい。
【００１１】
さらに、前記蓄熱部及び前記被覆蓄熱部にはヒートポンプが接続され、該ヒートポンプによって熱媒を循環させることで蓄熱することができる。
【００１２】
そして、本発明のユニット建物は、上記したいずれかの床下暖冷房システムを備えることを特徴とする。
【発明の効果】
【００１３】
このように、本発明の床下暖冷房システムは、床下空間に、床下熱交換装置と保温装置とを備え、室内空間に、室内熱交換器を備えるとともに、保温装置と室内熱交換器とは循環管路によって接続され、保温装置に貯留された循環流体が循環している。
【００１４】
したがって、床下熱交換装置によって床下空間を暖めることで間接的に室内空間の温度を調節しつつ、室内熱交換器によって室内空間の温度を直接的に調節できるため、室内空間の温度ムラを抑制することができる。
【００１５】
加えて、熱交換性能が異なる床下熱交換装置と保温装置とを備えることで、深夜に蓄熱した後、朝から昼にかけては主に床下熱交換装置によって、夜間には主に保温装置に接続された室内熱交換器によって、室内の温度を調節できるため、長時間にわたって室内空間の温度を調節できる。
【００１６】
また、床下空間は、床と底盤コンクリートと側壁コンクリートとによって囲まれて形成され、側壁コンクリートには断熱材が取り付けられることで、床下空間の断熱性が高まって熱が逃げないため、室内空間を効率よく暖めることができる。
【００１７】
さらに、床下熱交換装置が備える蓄熱部及び保温装置が備える被覆蓄熱部に、ヒートポンプによって熱媒を循環させて蓄熱することで、別個に蓄熱用タンクを設ける必要がない上に、蓄熱部及び被覆蓄熱部が床下空間にあることで、エネルギーロスが極めて少なくなる。
【００１８】
そして、上記したいずれかの床下暖冷房システムを備えることで、エネルギー消費量が少なく、経済的で環境に優しいユニット建物を供給することができる。
【発明を実施するための最良の形態】
【００１９】
以下、本発明の最良の実施の形態について図面を参照して説明する。
【００２０】
まず、図１の説明図を用いて、本実施の形態の床下暖冷房システムＳを備えるユニット建物Ｕの全体構成を説明する。
【００２１】
本実施の形態のユニット建物Ｕは、室内空間１５と、床下空間１４と、を備えている。
【００２２】
この室内空間１５は、床１０と、床１０の周りに立設された外壁１７，１７と、外壁１７，１７の上端を覆う天井１６と、によって、室外空間１８と隔てられて形成される。
【００２３】
そして、室内空間１５は、一般的に、４面の外壁１７，１７，１７，１７によって平面視矩形状に形成されるため、日射を強く受ける外壁１７や、季節風を強く受ける外壁１７が生じることとなる。
【００２４】
また、床下空間１４は、床１０と、底盤コンクリート１１と、側壁コンクリート１２，１２と、によって、室外空間１８と隔てられて形成される。
【００２５】
この床１０は、金属や木材によって形成される棒状の梁材（図示せず）や板状の床材（図示せず）を備えるもので、床下空間１４の熱を室内空間１５に伝達できるように、断熱材が取り付けられていない。
【００２６】
また、底盤コンクリート１１は、床下空間１４の下方を塞ぐようにスラブ状に設けられるもので、一年を通じて温度が安定している地盤と接しているため、一年を通じて安定した温度を備えている。
【００２７】
さらに、側壁コンクリート１２，１２は、床下空間１４の側方を塞ぐように壁状に設けられるもので、床下空間１４に向いた内側面には、グラスウールなどの断熱材１３，１３が貼設されて、床下空間１４と室外空間１８とが断熱されるように形成される。
【００２８】
そして、本実施の形態のユニット建物Ｕは、図１に示すように、主に床下空間１４に、床下暖冷房システムＳを備えている。
【００２９】
この床下暖冷房システムＳは、ヒートポンプ５と、床下熱交換装置としての放熱槽２と、保温装置としての保温槽３と、室内熱交換器としての室内放熱器４と、を備えている。
【００３０】
このヒートポンプ５は、コンプレッサや送風ファンを備え、電気的に制御されており、大気中の熱を移動させることで、内部に循環する熱媒を効率よく冷却又は加熱するもので、床下暖冷房システムＳの熱源としてユニット建物Ｕに近接する室外空間１８に設置されている。
【００３１】
加えて、このヒートポンプ５には、冷却又は加熱された二酸化炭素などの熱媒が出て行く基幹上流管６４と、熱媒が戻って来る基幹下流管６５と、が接続されている。
【００３２】
そして、この基幹上流管６４の下流端には、分岐のためのヘッダー７１が接続されており、このヘッダー７１には、放熱槽２の上流側に接続される放熱槽上流管６７と、保温槽３の上流側に接続される保温槽上流管６６と、が接続されている。
【００３３】
同様に、基幹下流管６５の上流端には、ヘッダー７２が接続されており、このヘッダー７２には、放熱槽２の下流側に接続される放熱槽下流管６９と、保温槽３の下流側に接続される保温槽下流管６８と、が接続されている。
【００３４】
また、放熱槽２は主に蓄熱部２１から構成されており、この蓄熱部２１は、プラスチック樹脂などによって、内部に水が充満されたタンクとして形成され、床下空間１４に設置されている。
【００３５】
さらに、蓄熱部２１の内部には、ヒートポンプ５に繋がっている放熱槽上流管６７が挿入されているため、蓄熱部２１の内部に充満された水を冷却又は加熱して、この水に蓄熱することができるように形成されている。
【００３６】
そして、この放熱槽２は、室内空間１５の平面配置を考慮して、各居室の中央下方に位置するように、床下空間１４に配設される。
【００３７】
また、保温装置３は、断熱材３２と、この断熱材３２によって被覆される被覆蓄熱部３１と、を備え、床下空間１４に設置されている。
【００３８】
この断熱材３２は、水が充満された被覆蓄熱部３１を保温するためのもので、グラスウールやロックウールなどによって、被覆蓄熱部３１の表面を覆うように形成される。
【００３９】
さらに、被覆蓄熱部３１は、上記した蓄熱部２１と同様に、プラスチック樹脂などによって、内部に水が充満されたタンクとして形成されるもので、表面が断熱材３２によって覆われており、被覆蓄熱部３１の内部の水が床下空間１４の空気と熱交換して熱を逃がすことがないように保温されている。
【００４０】
そして、この被覆蓄熱部３１の内部には、ヒートポンプ５に繋がっている保温槽上流管６６が挿入されているため、被覆蓄熱部３１の内部に充満された水を冷却又は加熱して、この水に蓄熱することができるように形成されている。
【００４１】
また、室内熱交換器４は室内空間１５に設置されるもので、内部に送風ファンを備えるとともに、保温装置３に接続された循環管路６が挿入されており、送風ファンによって循環管路６に送風することで、循環管路６の内部を循環する循環流体としての水と室内空間１５の空気との間で熱交換を行うように形成されている。
【００４２】
そして、この循環管路６は、室内放熱器上流管６１と、室内放熱器下流管６２と、循環ポンプ６３と、を備えている。
【００４３】
この室内放熱器上流管６１は、保温槽３の被覆蓄熱部３１の上部と室内放熱器４とを接続するもので、途中には、循環ポンプ６３が接続されている。
【００４４】
同様に、室内放熱器下流管６２は、室内放熱器４と保温槽３の被覆蓄熱部３１の下部とを接続するもので、室内放熱器４を介して室内放熱器上流管６１と繋がっている。
【００４５】
また、循環ポンプ６３は、床下空間１４において、室内放熱器上流管６１の途中に設置されるもので、後述する床下暖冷房システムＳの様々な運転パターンに対応できるように、電気的に制御されている。
【００４６】
次に、図２，３，４の説明図と図５の表を用いて、本実施の形態の床下暖冷房システムＳの運転パターンについて説明する。
【００４７】
本実施の形態の床下暖冷房システムＳの運転パターンは、図５の表に示すように、時間帯によって、深夜電力時間帯と、朝から夕方と、夜間と、に分けることができる。以下、それぞれの運転パターンについて、暖房時を例として説明する。
【００４８】
まず、図２を用いて、深夜電力時間帯における、床下暖冷房システムＳの運転パターンを説明する。
【００４９】
深夜電力時間帯には、図５の左欄に示すように、ヒートポンプ５をＯＮにして作動させるとともに、室内放熱器４をＯＦＦにする。
【００５０】
この深夜電力時間帯の初めには、放熱槽２の蓄熱部２１と保温槽３の被覆蓄熱部３１とは、前日の朝から夜間にかけて放熱したことで、床下空間１４の空気の温度とほぼ等しい温度となっている。
【００５１】
そして、図２に示すように、ヒートポンプ５によって蒸発及び加圧された二酸化炭素などの熱媒は、気体の状態のままで、基幹上流管６４及びヘッダー７１を介して、放熱槽上流管６７と保温槽上流管６６とに分かれて、それぞれ、放熱槽２と保温槽３とに送られる。
【００５２】
また、放熱槽２に到達した熱媒は、放熱槽２に挿入された放熱槽上流管６７の内部において凝縮すると同時に、蓄熱部２１に貯留された水に放熱して、この蓄熱部２１の内部の水を８０度程度まで加熱する。
【００５３】
同様に、保温槽３に到達した熱媒は、保温槽３に挿入された保温槽上流管６６の内部において凝縮すると同時に、被覆蓄熱部３１に貯留された水に放熱して、この被覆蓄熱部３１の内部の水を８０度程度まで加熱する。
【００５４】
さらに、放熱槽２と保温槽３とを経た熱媒は、液体の状態で、放熱槽下流管６９と保温槽下流管６８とを通じて、ヘッダー７２及び基幹下流管６５を介してヒートポンプ５に送られる。
【００５５】
以上のような床下暖冷房システムＳの運転パターンによって、放熱槽２の蓄熱部２１及び保温槽３の被覆蓄熱部３１に、深夜電力時間帯を通じて連続して蓄熱する。
【００５６】
次に、図３を用いて、朝から夕方における、床下暖冷房システムＳの運転パターンを説明する。
【００５７】
朝から昼にかけては、図５の中欄に示すように、ヒートポンプ５をＯＦＦにし、室内放熱器４もＯＦＦにする。
【００５８】
まず、朝においては、放熱槽２の蓄熱部２１と保温槽３の被覆蓄熱部３１とは、前日深夜から当日朝にかけての深夜電力時間帯に蓄熱しているため、床下空間１４の空気の温度よりもはるかに高温の８０度程度となっている。
【００５９】
そして、図３に示すように、朝から夕方にかけて、この高温となった蓄熱部２１を有する放熱槽２は、床下空間１４の空気に放熱して（図３のＨ１参照）、床下空間１４を暖める。
【００６０】
一方、高温となった被覆蓄熱部３１を有する保温槽３は、断熱材３２によって保温されているため、床下空間１４に放熱して床下空間１４を暖めることはほとんどなく、高温を維持している。
【００６１】
以上のような床下暖冷房システムＳの運転パターンによって、放熱槽２の蓄熱部２１から放熱することによって、床下空間１４を暖めることで、間接的に室内空間１５を暖める。
【００６２】
最後に、図４を用いて、夜間における、床下暖冷房システムＳの運転パターンを説明する。
【００６３】
夜間においては、図５の右欄に示すように、ヒートポンプ５をＯＦＦにする一方で、室内放熱器４はＯＮにして循環ポンプ６３を作動させる。ただし、室内空間１５がある程度の温度を保っている場合には、室内放熱器４はＯＦＦにする。
【００６４】
この夜間の初めには、放熱槽２の蓄熱部２１は、朝から夕方にかけて放熱しているため、床下空間１４の空気の温度に近い中程度の温度となっている一方で、保温槽３の被覆蓄熱部３１は、依然として高温を維持している。
【００６５】
そして、図４に示すように、中程度の温度となった蓄熱部２１を有する放熱槽２は、床下空間１４に放熱することで室内空間１５を間接的に暖めるのと同時に（図４のＨ１を参照）、高温を維持している被覆蓄熱部３１を有する保温槽３に接続された室内放熱器４は、室内空間１５に放熱することで、室内空間１５を直接的に暖める（図４のＨ２参照）。
【００６６】
次に、本実施の形態の床下暖冷房システムＳの作用について説明する。
【００６７】
このように、本実施の形態の床下暖冷房システムＳは、床下空間１４に、床下熱交換装置としての放熱槽２と、保温装置としての保温槽３とを備え、室内空間１５に、室内熱交換器としての室内放熱器４を備えるとともに、保温槽３と室内放熱器４とは循環管路６によって接続され、保温槽３に貯留された循環流体が循環している。
【００６８】
したがって、放熱槽２によって床下空間１４を暖めることで間接的に室内空間１５の温度を調節しつつ、室内放熱器４によって室内空間１５の温度を直接的に調節できるため、室内空間１５の温度ムラを抑制することができる。
【００６９】
すなわち、放熱槽２のみを備える場合には、床下空間１４を暖めることで床１０を介して室内空間１５を間接的に暖めたとしても、それぞれの室内空間１５ごとに放熱や蓄熱の条件が異なるため、それぞれの室内空間１５ごとに気温が異なって温度ムラが生じてしまう。
【００７０】
これに対して、本実施の形態の床下暖冷房システムＳでは、放熱槽２に加えて保温槽３を備えており、この保温槽３に接続された室内放熱器４を必要に応じて運転することで、それぞれの室内空間１５に応じて、室内空間１５を直接的に暖めることができるため、温度ムラが生じることはない。
【００７１】
加えて、熱交換性能が異なる放熱槽２と保温槽３とを備えることで、深夜に蓄熱した後、朝から昼にかけては主に放熱槽２によって室内空間１５を暖め、夜間には主に高温を維持する保温槽３によって室内空間１５を暖めることで、朝から夜間にかけての長時間にわたって、室内空間１５を暖めることができる。
【００７２】
また、断熱材３２によって被覆された被覆蓄熱部３１を有する保温槽３は、夜間まで高温を維持するためには、朝から昼にかけてはできる限り放熱しないことが望ましいが、仮にある程度放熱したとしても、保温槽３が床下空間１４にあることで、この放熱によって床下空間１４を暖めることができる。
【００７３】
さらに、床下空間１４は、床１０と底盤コンクリート１１と側壁コンクリート１２，１２とによって囲まれて形成され、側壁コンクリート１２，１２には断熱材１３，１３が取り付けられることで、床下空間１４の断熱性が高まって熱が逃げないため、室内空間１４を効率よく暖めることができる。
【００７４】
すなわち、底盤コンクリート１１は、一年を通じて温度が安定している地盤と接しているため、一年を通じて安定した温度を備えているとともに、側壁コンクリート１２，１２が断熱材１３，１３によって断熱されていれば、床下空間１４が有する熱は、大部分が床１０のみを通じて交換されることとなるため、室内空間１５の温度を調節する際の熱損失が極めて少なくなる。
【００７５】
さらに、蓄熱部２１及び被覆蓄熱部３１にヒートポンプ５が接続され、ヒートポンプ５によって熱媒を循環させることで、大気の持つ熱を利用して、効率よく室内空間１５を暖めることができる。
【００７６】
つまり、ヒートポンプ５は、熱媒を加圧及び膨張させたり、凝縮及び蒸発させたりして、大気の持つ熱を汲み取って移動させることで、投入した電気エネルギーの３倍程度の熱エネルギーを発生することができるため、きわめて効率よく室内空間１５を暖めることができる。
【００７７】
加えて、上記のように、蓄熱部２１及び被覆蓄熱部３１に貯留された水に蓄熱することで、従来は必要であった貯湯タンクを設ける必要がなくなる。
【００７８】
つまり、従来は、室外空間１８に蓄熱のためだけの貯湯タンクを設置する必要があったが、本実施の形態の床下暖冷房システムＳでは、この貯湯タンクを設置する必要がなく、放熱や保温のために床下空間１４に設置される蓄熱部２１及び被覆蓄熱部３１を、貯湯タンクとして利用することができる。
【００７９】
そして、上記したような床下暖冷房システムＳを備えることで、エネルギー消費量が少なく、経済的で環境に優しいユニット建物Ｕを供給することができる。
【００８０】
つまり、低料金に設定された深夜電力時間帯の電気によって、蓄熱部２１及び被覆蓄熱部３１に蓄熱するものであるため、経済的なユニット建物Ｕとすることができる。
【００８１】
加えて、深夜電力を用いることで、昼の時間帯に電力を用いなくてもよいため、昼の時間帯の電力消費のピークを低減し、付加平準化に貢献することができる。
【実施例】
【００８２】
次に、図６を用いて、前記実施の形態とは別の形態の床下暖冷房システムＳ１について説明する。なお、前記実施の形態で説明した内容と同一乃至均等な部分の説明については同一符号を付して説明する。
【００８３】
なお、図６は、前記実施の形態で説明した運転パターンのうち、深夜電力時間帯における運転パターンについて示している。
【００８４】
本実施例では、前記実施の形態と異なり、２つの放熱槽２，２と、２つの保温槽３，３と、２つの室内放熱器４，４と、を備える床下暖冷房システムＳ１について説明する。
【００８５】
まず、構成から説明すると、本実施例の床下暖冷房システムＳ１は、ヒートポンプ５と、床下熱交換装置としての２つの保温槽２，２と、保温装置としての２つの保温槽３，３と、を床下空間１４に備えるとともに、室内熱交換器としての２つの室内放熱器４，４を２つの室内空間１５ａ，１５ｂにそれぞれ１つずつ備えている。
【００８６】
さらに、ヒートポンプ５には、基幹上流管６４と、基幹下流管６５と、が接続され、この基幹上流管６４の下流端には、分岐のためのヘッダー７１が接続されている。
【００８７】
そして、このヘッダー７１には、放熱槽２，２の上流側に接続される放熱槽上流管６７，６７と、保温槽３，３の上流側に接続される保温槽上流管６６，６６と、が接続されている。
【００８８】
同様に、基幹下流管６５の上流端には、ヘッダー７２が接続されており、このヘッダー７２には、放熱槽２，２の下流側に接続される放熱槽下流管６９，６９と、保温槽３，３の下流側に接続される保温槽下流管６８，６８と、が接続されている。
【００８９】
次に、本実施例の床下暖冷房システムＳ１の作用について説明する。
【００９０】
このように、本実施例の床下暖冷房システムＳ１は、放熱槽２や保温槽３や室内放熱器４をそれぞれ２つずつ備えている。
【００９１】
そして、放熱槽２を複数備えることで、床下空間１４に対してより多く放熱できるとともに、保温槽３及び室内放熱器４を室内空間１５ａ，１５ｂごとに備えることで、それぞれの室内空間１５ａ，１５ｂの温度などに応じて、それぞれの室内空間１５ａ，１５ｂを直接的に暖めることができる。
【００９２】
さらに、放熱槽２を複数備えるとともに、この放熱槽２を床下空間１４に分散して配置することで、床下空間１４に温度ムラが発生することを防止することができる。
【００９３】
すなわち、床下空間１４において、放熱槽２で暖められた空気は、対流によって床下空間１４の空気全体を暖めることとなるが、床下空間１４を対流によって移動する際に、放熱しながら移動するため、放熱槽２から離れた地点では床１０を暖めることが困難となる場合がある。
【００９４】
これに対して、本実施例では、複数の放熱槽２，２を備えるため、床１０を確実に暖めることができる。
【００９５】
なお、この他の構成および作用効果については、前記実施の形態と略同様であるため説明を省略する。
【００９６】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【００９７】
例えば、本実施の形態及び実施例では、床下暖冷房システムＳ，Ｓ１を暖房に使用する場合について説明したが、これに限定されるものではなく、冷房に使用することもできる。
【００９８】
また、本実施の形態及び実施例では、ヒートポンプ５と、床下熱交換装置としての放熱槽２と、保温装置として保温槽３と、を備える場合について説明したが、これに限定されるものではなく、電熱器を用いてレンガなどに蓄熱するものであってもよい。
【００９９】
さらに、本実施の形態では、夜間の運転パターンにおいて、ヒートポンプ５をＯＦＦにした場合について説明したが、これに限定されるものではなく、寒いときにはヒートポンプ５をＯＮにして、追い炊きしてもよい。
【０１００】
そして、本実施の形態及び実施例では、熱媒として二酸化炭素を用いる場合について説明したが、これに限定されるものではなく、外気温の条件などによって、最適な熱媒を選択することができる。
【０１０１】
また、本実施例では、放熱槽２と保温槽３と室内放熱器４とを、それぞれ２つずつ備える床下暖冷房システムＳ１について説明したが、これに限定されるものではなく、室内空間１５の広さなどに応じて適切な数の装置を備えるものであってもよい。
【図面の簡単な説明】
【０１０２】
【図１】本発明の最良の実施の形態の床下暖冷房システムの全体構成を説明する説明図である。
【図２】本発明の最良の実施の形態の床下暖冷房システムの深夜電力時間帯における運転パターンを説明する説明図である。
【図３】本発明の最良の実施の形態の床下暖冷房システムの昼間における運転パターンを説明する説明図である。
【図４】本発明の最良の実施の形態の床下暖冷房システムの夜間における運転パターンを説明する説明図である。
【図５】本発明の最良の実施の形態の床下暖冷房システムの運転パターンを比較して説明する表である。
【図６】本発明の実施例の床下暖冷房システムの全体構成を説明する説明図である。
【符号の説明】
【０１０３】
Ｕ            ユニット建物
Ｓ，Ｓ１      床下暖冷房システム
１０          床
１１          底盤コンクリート
１２          側壁コンクリート
１３          断熱材
１４          床下空間
２            放熱槽（床下熱交換装置）
２１          蓄熱部
３            保温槽（保温装置）
３１          被覆蓄熱部
３２          断熱材
４            室内放熱器（室内熱交換器）
５            ヒートポンプ
６            循環管路
６１          室内放熱器上流管
６２          室内放熱器下流管
６３          循環ポンプ
【図１】
2008275264.tif 000003
【図２】
2008275264.tif 000004
【図３】
2008275264.tif 000005
【図４】
2008275264.tif 000006
【図５】
2008275264.tif 000007
【図６】
2008275264.tif 000008